(57)【要約】  本発明は、データ伝送方法及び装置を提供する。本発明の実施例において、少なくとも２つのスケジューリング情報を伝送し、前記少なくとも２つのスケジューリング情報に対応する少なくとも２つの伝送リソースは、時間領域において部分的に重複され、前記少なくとも２つの伝送リソースのうちの少なくとも１つの伝送リソースにおいてデータを伝送することで、端末が２つ以上のデータを伝送する一部の伝送リソースが時間領域上で衝突するときのデータ伝送を実現する。
2021515996.tif 000002
【特許請求の範囲】
【請求項１】
少なくとも２つのスケジューリング情報を伝送することと、
少なくとも２つの伝送リソースのうちの少なくとも１つの伝送リソースにおいてデータを伝送することとを含み、
前記少なくとも２つのスケジューリング情報に対応する前記少なくとも２つの伝送リソースは、時間領域において部分的に重複される
ことを特徴とするデータ伝送方法。
【請求項２】
前記伝送リソースは、時間領域リソース、周波数領域リソース及び電力領域リソースのうちの少なくとも１つを含む
ことを特徴とする請求項１に記載のデータ伝送方法。
【請求項３】
前記少なくとも２つの伝送リソースのうちの少なくとも１つの伝送リソースにおいてデータを伝送することは、
前記少なくとも２つのスケジューリング情報に対応する第１の伝送リソースにおいて第１のデータを伝送することを含む
ことを特徴とする請求項１又は２に記載のデータ伝送方法。
【請求項４】
前記少なくとも２つの伝送リソースのうちの少なくとも１つの伝送リソースにおいてデータを伝送することは、さらに、
前記少なくとも２つのスケジューリング情報に対応する第２の伝送リソースの第１の部分のリソースにおいてデータを伝送せず、前記第２の伝送リソースの第２の部分のリソースにおいて第２のデータを伝送すること、又は、
前記少なくとも２つのスケジューリング情報に対応する第２の伝送リソースにおいてデータを伝送しないこと、又は、
第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送すること、又は、
第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しないことを含む
ことを特徴とする請求項３に記載のデータ伝送方法。
【請求項５】
前記第１のデータのサービス優先度は、前記第２のデータのサービス優先度以上である
ことを特徴とする請求項４に記載のデータ伝送方法。
【請求項６】
前記第１の部分のリソースは、前記第２の伝送リソースのうちの、前記第１の伝送リソースと時間領域において重複される全てのリソース又は一部のリソースを含み、
前記第２の部分のリソースは、前記第２の伝送リソースのうちの、前記第１の伝送リソースと時間領域において重複されない全てのリソース又は一部のリソースを含む
ことを特徴とする請求項４に記載のデータ伝送方法。
【請求項７】
前記第２の伝送リソースの第２の部分のリソースにおいて第２のデータを伝送することは、
前記第２の部分のリソースの全てのリソースが対応する復調パイロットを有する場合、前記第２の部分のリソースの全てのリソースにおいて前記第２のデータを伝送することと、
前記第２の部分のリソースの部分のリソースが対応する復調パイロットを有する場合、前記第２の部分のリソースの部分のリソースにおいて前記第２のデータを伝送することと、
前記第２の部分のリソースの部分のリソースが対応する復調パイロットを有しない場合、前記第２の部分のリソースの部分のリソースにおいてデータを伝送しないことと、
前記第２の部分のリソースの全てのリソースが対応する復調パイロットを有しない場合、前記第２の部分のリソースの全てのリソースにおいてデータを伝送しないこととを含む
ことを特徴とする請求項４に記載のデータ伝送方法。
【請求項８】
スケジューリング伝送ユニットと、データ伝送ユニットとを備えるデータ伝送装置であって、
前記スケジューリング伝送ユニットは、少なくとも２つのスケジューリング情報を伝送するように構成され、前記少なくとも２つのスケジューリング情報に対応する少なくとも２つの伝送リソースは、時間領域において部分的に重複され、
前記データ伝送ユニットは、前記少なくとも２つの伝送リソースのうちの少なくとも１つの伝送リソースにおいてデータを伝送するように構成される
ことを特徴とするデータ伝送装置。
【請求項９】
前記伝送リソースは、時間領域リソース、周波数領域リソース及び電力領域リソースのうちの少なくとも１つを含む
ことを特徴とする請求項８に記載のデータ伝送装置。
【請求項１０】
前記データ伝送ユニットは、
前記少なくとも２つのスケジューリング情報に対応する第１の伝送リソースにおいて第１のデータを伝送するように構成される
ことを特徴とする請求項８又は９に記載のデータ伝送装置。
【請求項１１】
前記データ伝送ユニットは、さらに、
前記少なくとも２つのスケジューリング情報に対応する第２の伝送リソースの第１の部分のリソースにおいてデータを伝送せず、前記第２の伝送リソースの第２の部分のリソースにおいて第２のデータを伝送し、又は、
前記少なくとも２つのスケジューリング情報に対応する第２の伝送リソースにおいてデータを伝送せず、又は、
第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送し、又は、
第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しないように構成される
ことを特徴とする請求項１０に記載のデータ伝送装置。
【請求項１２】
前記第１のデータのサービス優先度は、前記第２のデータのサービス優先度以上である
ことを特徴とする請求項１１に記載のデータ伝送装置。
【請求項１３】
前記第１の部分のリソースは、前記第２の伝送リソースのうちの、前記第１の伝送リソースと時間領域において重複される全てのリソース又は一部のリソースを含み、
前記第２の部分のリソースは、前記第２の伝送リソースのうちの、前記第１の伝送リソースと時間領域において重複されない全てのリソース又は一部のリソースを含む
ことを特徴とする請求項１１に記載のデータ伝送装置。
【請求項１４】
前記データ伝送ユニットは、
前記第２の部分のリソースの全てのリソースが対応する復調パイロットを有する場合、前記第２の部分のリソースの全てのリソースにおいて前記第２のデータを伝送し、
前記第２の部分のリソースの部分のリソースが対応する復調パイロットを有する場合、前記第２の部分のリソースの部分のリソースにおいて前記第２のデータを伝送し、
前記第２の部分のリソースの部分のリソースが対応する復調パイロットを有しない場合、前記第２の部分のリソースの部分のリソースにおいてデータを伝送せず、
前記第２の部分のリソースの全てのリソースが対応する復調パイロットを有しない場合、前記第２の部分のリソースの全てのリソースにおいてデータを伝送しないように構成される
ことを特徴とする請求項１１に記載のデータ伝送装置。
【発明の詳細な説明】
【技術分野】
【０００１】
本発明は、データ伝送技術に関し、特に、データ伝送方法及び装置に関する。
【背景技術】
【０００２】
新しいラジオ( Ｎｅｗ Ｒａｄｉｏ、ＮＲ )システム、例えば５Ｇアプリケーションでは、３つの大きなサービスシーンがあり、１つは、拡張モバイルブロードバンド( Ｅｎｈａｎｃｅ Ｍｏｂｉｌｅ Ｂｒｏａｄｂａｎｄ、ｅＭＢＢ )サービスであり、１つは、高信頼低遅延( Ｕｌｔｒａ Ｒｅｌｉａｂｌｅ ａｎｄ Ｌｏｗ Ｌａｔｅｎｃｙ Ｃｏｍｍｕｎｉｃａｔｉｏｎ、ＵＲＬＬC )サービスであり、１つは、大容量機械タイプ通信( ｍａｓｓｉｖｅ Ｍａｃｈｉｎｅ Ｔｙｐｅ ｏｆ Ｃｏｍｍｕｎｉｃａｔｉｏｎ、ｍＭＴＣ )である。端末は、サービス要求に応じて構成された伝送リソース上でこれらのサービスのデータを伝送することができる。
【０００３】
実際の応用過程では、端末は２つ以上の伝送リソースが部分的に重複する状況が発生することがあるので、端末が２つ以上のデータを伝送する部分伝送リソースが時間領域で衝突する場合に、どのようにデータを伝送するかを決定するデータ伝送方法を提供することが望ましい。
【発明の概要】
【０００４】
本発明の複数の態様は、端末が２つ以上のデータを伝送する部分伝送リソースが時間領域で衝突する場合にデータ伝送を実現するデータ伝送方法及び装置を提供する。
【０００５】
本発明の態様は、データ伝送方法を提供し、
少なくとも２つのスケジューリング情報を伝送することと、
前記少なくとも２つの伝送リソースのうちの少なくとも１つの伝送リソースにおいてデータを伝送することとを含み、
前記少なくとも２つのスケジューリング情報に対応する少なくとも２つの伝送リソースは、時間領域において部分的に重複される。
【０００６】
本発明の他の態様は、データ伝送装置を提供し、スケジューリング伝送ユニット及びデータ伝送ユニットを備え、
スケジューリング伝送ユニットは、少なくとも２つのスケジューリング情報を伝送するように構成され、前記少なくとも２つのスケジューリング情報に対応する少なくとも２つの伝送リソースは、時間領域において部分的に重複され、
データ伝送ユニットは、前記少なくとも２つの伝送リソースのうちの少なくとも１つの伝送リソースにおいてデータを伝送するように構成される。
【０００７】
このように、本発明の実施例は、少なくとも２つのスケジューリング情報を伝送し、前記少なくとも２つのスケジューリング情報に対応する少なくとも２つの伝送リソースは、時間領域において部分的に重複され、前記少なくとも２つの伝送リソースのうちの少なくとも１つの伝送リソースにおいてデータを伝送することで、端末が２つ以上のデータを伝送する部分伝送リソースが時間領域上で衝突するときのデータ伝送を実現する。
【図面の簡単な説明】
【０００８】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１Ａ】本発明の実施例におけるデータ伝送方法のフローチャートである。
【図１Ｂ】図１Ａに対応する実施例における伝送リソースの模式図である。
【図１Ｃ】図１Ａに対応する実施例における他の伝送リソースの模式図である。
【図１Ｄ】図１Ａに対応する実施例における他の伝送リソースの模式図である。
【図１Ｅ】図１Ａに対応する実施例における他の伝送リソースの模式図である。
【図１Ｆ】図１Ａに対応する実施例における他の伝送リソースの模式図である。
【図２】本発明の他の実施例におけるデータ伝送装置の構成図である。
【発明を実施するための形態】
【０００９】
本発明の実施例の目的、技術的解決策、及び利点をより明確にするために、以下に、本発明の実施例における技術的解決策を、本発明の実施例における図面と併せて、明確かつ完全に説明し、記載された実施例は、本発明の一部の実施例であり、全ての実施例ではないことを理解する。本発明の実施形態に基づいて、当業者が創造的な労働をすることなく得た全ての他の実施形態は、本発明の保護範囲に属する。
【００１０】
ここで、「及び/又は」とは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００１１】
図１Ａは本発明の実施例におけるデータ伝送方法のフローチャートである。
【００１２】
１０１において、少なくとも２つのスケジューリング情報を伝送し、前記少なくとも２つのスケジューリング情報に対応する少なくとも２つの伝送リソースは、時間領域において部分的に重複される。
【００１３】
ここで、前記伝送リソースは、時間領域リソース、周波数領域リソース及び電力領域リソースのうち少なくとも一つを含んでもよいが、これに限定されず、本実施例は、これを特に限定しない。
【００１４】
１０２において、前記少なくとも２つの伝送リソースのうちの少なくとも１つの伝送リソースにおいてデータを伝送する。
【００１５】
なお、１０１〜１０２の実行主体は、端末であってもよく、あるいはネットワークデバイスであってもよく、本実施例は特に限定されない。
【００１６】
本発明において、伝送されるデータとは、端末とネットワークデバイスとの間で伝送される必要がある情報であり、物理上り共有チャネル( Ｐｈｙｓｉｃａｌ Ｕｐｌｉｎｋ Ｓｈａｒｅｄ Ｃｈａｎｎｅｌ、ＰＵＳＣＨ )及び物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )のうち少なくとも１つを含むがこれらに限定されない物理上りチャネルによって搬送されてもよい。
【００１７】
本発明によって提供される技術的解決策は、３つのサービスシーンを有することができ、拡張モバイルブロードバンドトラフィック( Ｅｎｈａｎｃｅ Ｍｏｂｉｌｅ Ｂｒｏａｄｂａｎｄ，ｅＭＢＢ )トラフィック、高信頼低遅延( Ｕｌｔｒａ Ｒｅｌｉａｂｌｅ ａｎｄ Ｌｏｗ Ｌａｔｅｎｃｙ Ｃｏｍｍｕｎｉｃａｔｉｏｎ，ＵＲＬＬＣ )トラフィック、および、マスクラス通信( ｍａｓｓｉｖｅ Ｍａｃｈｉｎｅ Ｔｙｐｅ ｏｆ Ｃｏｍｍｕｎｉｃａｔｉｏｎ，ｍＭＴＣ )などの新しいラジオ( Ｎｅｗ Ｒａｄｉｏ，ＮＲ )システム、例えば５Ｇアプリケーションに適用され得る。端末は、サービス要求に応じて構成された伝送リソース上でこれらのサービスのデータを伝送することができる。したがって、本発明に係る伝送されるデータは、ｅＭＢＢデータ、ＵＲＬＬＣデータ及びｍＭＴＣデータのうち少なくとも２つを含んでもよいが、これに限定されず、本実施例は、特にこれに限定されない。
【００１８】
任意選択で、この実施例の実現可能な形態において、１０１において、伝送されるスケジューリング情報は、動的スケジューリング情報であってもよく、又は半静的スケジューリング情報であってもよく、本実施例は、特に限定されない。
【００１９】
任意選択で、この実施例の実現可能な形態において、１０２において、具体的に、前記少なくとも２つのスケジューリング情報に対応する第１の伝送リソースにおいて第１のデータを伝送する。
【００２０】
本実施形態において、伝送されるデータは、第１のデータに加えて、第２のデータをさらに含んでもよい。ここで、前記第１のデータのサービス優先度は、前記第２のデータのサービス優先度以上である。
【００２１】
そこで、５Ｇアプリケーションなどの新しいラジオ( Ｎｅｗ Ｒａｄｉｏ、ＮＲ )システムでは、ＵＲＬＬＣデータの優先度はｅＭＢＢデータの優先度よりも高く、ｅＭＢＢデータの優先度は、ｍＭＴＣデータの優先度よりも高い。
【００２２】
具体的に、さらに、前記少なくとも２つのスケジューリング情報に対応する第２の伝送リソースの第１の部分のリソースにおいてデータを伝送せず、前記第２の伝送リソースの第２の部分のリソースにおいて第２のデータを伝送する。
【００２３】
ここで、前記第１の部分のリソースは、前記第２の伝送リソースのうちの、前記第１の伝送リソースと時間領域において重複される全てのリソース又は部分のリソースを含むが、これに限定されなく、前記第２の部分のリソースは、前記第２の伝送リソースのうちの前記第１の伝送リソースと時間領域において重複されない全てのリソース又は部分のリソースを含むが、これに限定されない。
【００２４】
例えば、前記第２の部分のリソースの全てのリソースが対応する復調パイロットを有する場合、前記第２の部分のリソースの全てのリソースにおいて前記第２のデータを伝送する。
【００２５】
これにより、復調パイロットがデータ復調可能な場合に、可能な限り使用可能な伝送リソースを利用してデータ伝送を行うことができ、システム効率を効果的に向上させることができる。
【００２６】
又は、例えば、前記第２の部分のリソースの部分のリソースが対応する復調パイロットを有する場合、前記第２の部分のリソースの部分のリソースにおいて前記第２のデータを伝送する。
【００２７】
これにより、復調パイロットがデータ復調可能な場合に、可能な限り使用可能な伝送リソースを利用してデータ伝送を行うことができ、システム効率を効果的に向上させることができる。
【００２８】
又は、例えば、前記第２の部分のリソースの部分のリソースが対応する復調パイロットを有しない場合、前記第２の部分のリソースの部分のリソースにおいてデータを伝送しない。
【００２９】
これにより、無駄な伝送を回避してシステム干渉を効果的に低減することができる。
【００３０】
又は、例えば、前記第２の部分のリソースの全てのリソースが対応する復調パイロットを有しない場合、前記第２の部分のリソースの全てのリソースにおいてデータを伝送しない。
【００３１】
これにより、無駄な伝送を回避してシステム干渉を効果的に低減することができる。
【００３２】
いくつかの例では、具体的には、第２の伝送リソースが、第２の部分リソースのすべてまたは一部において伝送されたデータを復調することができる復調パイロットを含むかどうかを判定し、第２の伝送リソースが、第２の部分リソースのすべてまたは一部において伝送されたデータを復調することができる復調パイロットを含み、すなわち、第２の部分リソースのすべてまたは一部が対応する復調パイロットを有し、第２の伝送リソースに、第２の部分リソースの全て又は一部のリソース上で伝送されたデータを復調することができる復調パイロットが含まれず、即ち、第２の部分リソースの全て又は一部のリソースは、対応する復調パイロットを有しない。
【００３３】
本発明の実施例で提供される方法をより明確にするために、ＵＲＬＬＣデータ及びｅＭＢＢデータの伝送リソースの一部が重複することを例として、以下に説明する。
【００３４】
スケジューリング情報に対応する２つのデータ、すなわち、ＵＲＬＬＣデータおよびｅＭＢＢデータの伝送リソースが時間領域上で部分的に重なると決定された後、ＵＲＬＬＣデータの優先度がｅＭＢＢデータの優先度よりも高いので、第２の伝送リソースと第１の伝送リソースと時間領域上で重なる第１の部分リソース上で何もデータを伝送せず、第２の伝送リソースと第１の伝送リソースと時間領域上で重ならない第２の部分リソース上でｅＭＢＢデータを伝送することができる。
【００３５】
第２の伝送リソースの第２の部分のリソース上でｅＭＢＢデータをどのように伝送するかは、様々な方法があり得るが、いくつかの例が以下に示される。
【００３６】
図１ ( Ｂ )に示すように、第２のデータがｅＭＢＢデータであり、ｅＭＢＢデータには、図中斜線で示すように、１列の復調パイロットが含まれる。この１列のパイロットは、第２の部分リソースにおいて、第２の部分リソースの全リソースが対応する復調パイロットを有することを示すので、重複する第１の部分リソースには何もデータを伝送せず(図中Ｘで示す)、重複しない第２の部分リソースの全リソースにｅＭＢＢデータを伝送することができる。
【００３７】
図１ ( Ｃ )に示すように、第２のデータがｅＭＢＢデータであり、ｅＭＢＢデータに、図中斜線部で示すように、４列の復調パイロットが含まれ、第１列の復調パイロットおよび第２列の復調パイロットが時間領域直交カバー符号( Ｏｒｔｈｏｇｏｎａｌ Ｃｏｖｅｒ Ｃｏｄｅ，ＯＣＣ )を用いて多重され、第３列の復調パイロットおよび第４列の復調パイロットが時間領域ＯＣＣを用いて多重される。第１列のパイロット、第２列のパイロット、第３列の復調パイロットおよび第４列の復調パイロットは、第２の部分リソース上にあり、第２の部分リソースのすべてのリソースが対応する復調パイロットを有することを説明し、したがって、図中Ｘで示されるように、重複する第１の部分リソース上では何もデータを伝送せず、重複しない第２の部分リソースのすべてのリソース上ではｅＭＢＢデータを伝送することができる。
【００３８】
図１Ｄに示すように、第２のデータがｅＭＢＢデータであり、ｅＭＢＢデータに４列の復調パイロット(図中斜線部で示す)が含まれ、第１列の復調パイロットと第２列の復調パイロットとが時間領域ＯＣＣを用いて多重され、第３列の復調パイロットと第４列の復調パイロットとが時間領域ＯＣＣを用いて多重されている。第１列のパイロット及び第２列のパイロットは、第２の部分リソースの第１の部分にあり、第２の部分リソースに、第１の復調パイロット及び第２の復調パイロットに対応するｅＭＢＢデータの復調パイロットが含み、すなわち、第２の部分リソースである部分リソースは、対応する復調パイロットを有し、したがって、ｅＭＢＢデータを第２の部分リソースのこの部分リソース上で伝送する。第１の部分リソースでは、第３列の復調パイロットと第４列の復調パイロットが存在する場合、第１の部分リソースでは何もデータを伝送しないため、第３列の復調パイロットと第４列の復調パイロットを取消す必要があり、第２の部分リソースでは、第３列の復調パイロットと第４列の復調パイロットに対応するｅＭＢＢデータの復調パイロットを含まない、すなわち、第２の部分リソースの一部のリソースに対応する復調パイロットが存在しないことを意味し、第１の部分リソースと第２の部分リソースの一部のリソースでは、図中Ｘで示すように、何もデータを伝送しない。
【００３９】
図１Ｅに示すように、第２のデータがｅＭＢＢデータであり、ｅＭＢＢデータに４列の復調パイロット(図中斜線部で示す)が含まれ、ここで、第１列の復調パイロットおよび第２列の復調パイロットは、時間領域ＯＣＣを用いて多重されなく、第３列の復調パイロットおよび第４列の復調パイロットも、時間領域ＯＣＣを用いて多重されない。第１列のパイロット、第２列のパイロット、および第３列の復調パイロットは、第２の部分リソースの第１の部分に存在し、第２の部分リソースに、第１列の復調パイロットおよび第２列の復調パイロットに対応するｅＭＢＢデータの復調パイロットを含み、すなわち、第２の部分リソースは、対応する復調パイロットを有し、したがって、第２の部分リソース上でｅＭＢＢデータを伝送する。第４列の復調パイロットが第１の部分のリソースに存在し、第１の部分リソースではデータを送信しないので、第４列の復調パイロットを取消す必要があり、第３列の復調パイロット復調データは、第４列の復調パイロットに依存しないので、第２の部分リソースに、第３列の復調パイロットと第４列の復調パイロットに対応するｅＭＢＢデータの復調パイロットを含み、すなわち、第２の部分リソースに対応する復調パイロットを有し、したがって、第２の部分リソースでもｅＭＢＢデータを伝送することができ、第１の部分リソースではデータを送信しない(図中Ｘで示す)。
【００４０】
図１Ｆに示すように、第２のデータがｅＭＢＢデータであり、ｅＭＢＢデータに、４列の復調パイロット(図中斜線部で示す)が含まれ、ここで、第１列の復調パイロットおよび第２列の復調パイロットは、時間領域ＯＣＣを用いて多重され、第３列の復調パイロットおよび第４列の復調パイロットは、時間領域ＯＣＣを用いて多重される。第１列のパイロット、第２列のパイロット、および第３列の復調パイロットは、第２の部分リソースの第１の部分に存在し、第２の部分リソースに、第１列の復調パイロットおよび第２列の復調パイロットに対応するｅＭＢＢデータの復調パイロットを含み、すなわち、第２の部分リソースは、対応する復調パイロットを有し、したがって、第２の部分リソース上でｅＭＢＢデータを伝送する。第４列の復調パイロットは第１の部分リソースに存在し、第１の部分リソースにデータを伝送しないので、第４列の復調パイロットが取り消す必要があるが、第３列の復調パイロットのデータ復調は、第４列の復調パイロットに依存するので、第２の部分リソースに、第３列の復調パイロットおよび第４列の復調パイロットに対応するｅＭＢＢデータの復調パイロットを含まなく、すなわち、第２の部分リソースには、対応する復調パイロットがないことを示し、第１の部分リソースおよび第２の部分リソースには、データを伝送しない(図中Ｘで示す)。
【００４１】
他の具体的な実現形態において、さらに、前記少なくとも２つのスケジューリング情報に対応する第２の伝送リソースにおいてデータを伝送しない。
【００４２】
他の具体的な実現形態において、さらに、第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送する。ここで、第２の電力は、スケジューリング情報が示す電力であり、第１の電力は、スケジューリング情報が示す電力よりも小さい。
【００４３】
ここで、前記第１の部分のリソースは、前記第２の伝送リソースのうちの、前記第１の伝送リソースと時間領域において重複される全てのリソース又は部分のリソースを含むが、これに限定されなく、前記第２の部分のリソースは、前記第２の伝送リソースのうちの、前記第１の伝送リソースと時間領域において重複されない全てのリソース又は部分のリソースを含むが、これに限定されない。
【００４４】
このように、第２の伝送リソースのうち第１の伝送リソースと時間領域で重複する全てのリソース又は一部のリソースである第１の部分リソースで電力を下げて第２のデータを伝送することにより、復調が正確であることが保証されている条件下で、可能な限り使用可能な伝送リソースを利用してデータ伝送を行うことができ、システム効率が効果的に向上する。
【００４５】
他の具体的な実現形態において、さらに、第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しない。ここで、第１の電力は、スケジューリング情報が示す電力よりも小さい。
【００４６】
これにより、復調可能な状態を保ちつつ、できるだけ使用可能な伝送リソースを用いてデータ伝送を行うことができ、システム効率を向上させることができる。
【００４７】
この実施例において、少なくとも２つのスケジューリング情報を伝送し、前記少なくとも２つのスケジューリング情報に対応する少なくとも２つの伝送リソースは、時間領域において部分的に重複され、前記少なくとも２つの伝送リソースのうちの少なくとも１つの伝送リソースにおいてデータを伝送することで、端末が２つ以上のデータを伝送する部分送信リソースが時間領域上で衝突するときのデータ伝送が実現される。
【００４８】
なお、前述の各方法の実施例は、説明を簡単にするために、全て一連の動作の組み合わせとして表現したが、当業者であれば、本発明は、説明された動作の順序に限定されるものではなく、本発明によって、あるステップが他の順序で、または同時に行われてもよい。次に、当業者は、本明細書に記述された実施例が全て好ましい実施例に含まれることを理解するであろうが、かかる動作及びモジュールは必ずしも本発明に必須ではない。
【００４９】
上記実施形態では、各実施形態についての説明を中心に説明したが、本発明は、上記実施形態に限定されるものではなく、本発明の技術的思想を逸脱しない範囲内で種々の変更が可能である。
【００５０】
図２は本発明の実施例におけるデータ伝送装置の構成図である。この実施例におけるデータ伝送装置は、スケジューリング伝送ユニット２１及びデータ伝送ユニット２２を含む。ここで、スケジューリング伝送ユニット２１は、少なくとも２つのスケジューリング情報を伝送するように構成され、前記少なくとも２つのスケジューリング情報に対応する少なくとも２つの伝送リソースは、時間領域において部分的に重複され、データ伝送ユニット２２は、前記少なくとも２つの伝送リソースのうちの少なくとも１つの伝送リソースにおいてデータを伝送するように構成される。
【００５１】
なお、本実施例で提供するデータ伝送装置は、端末であってもよく、あるいはネットワークデバイスであってもよく、本実施例は特にこれに限定されない。
【００５２】
ここで、前記伝送リソースは、時間領域リソース、周波数領域リソース及び電力領域リソースのうち少なくとも一つを含んでもよいが、これに限定されず、本実施例は、これを特に限定しない。
【００５３】
任意選択で、この実施例の実現可能な形態において、前記データ伝送ユニット２２は、具体的に、前記少なくとも２つのスケジューリング情報に対応する第１の伝送リソースにおいて第１のデータを伝送するように構成される。
【００５４】
この実施形態において、伝送するデータが第１のデータの以外に、さらに、第２のデータを含む。ここで、前記第１のデータのサービス優先度は、前記第２のデータのサービス優先度以上である。
【００５５】
具体的な実現形態において、前記データ伝送ユニット２２は、さらに、前記少なくとも２つのスケジューリング情報に対応する第２の伝送リソースの第１の部分のリソースにおいてデータを伝送せず、前記第２の伝送リソースの第２の部分のリソースにおいて第２のデータを伝送するように構成される。
【００５６】
ここで、前記第１の部分のリソースは、前記第２の伝送リソースのうちの、前記第１の伝送リソースと時間領域において重複される全てのリソース又は部分のリソースを含むが、これに限定されなく、前記第２の部分のリソースは、前記第２の伝送リソースのうちの前記第１の伝送リソースと時間領域において重複されない全てのリソース又は部分のリソースを含むが、これに限定されない。
【００５７】
例えば、前記データ伝送ユニット２２は、具体的に、前記第２の部分のリソースの全てのリソースが対応する復調パイロットを有する場合、前記第２の部分のリソースの全てのリソースにおいて前記第２のデータを伝送し、前記第２の部分のリソースの部分のリソースが対応する復調パイロットを有する場合、前記第２の部分のリソースの部分のリソースにおいて前記第２のデータを伝送し、前記第２の部分のリソースの部分のリソースが対応する復調パイロットを有しない場合、前記第２の部分のリソースの部分のリソースにおいてデータを伝送せず、前記第２の部分のリソースの全てのリソースが対応する復調パイロットを有しない場合、前記第２の部分のリソースの全てのリソースにおいてデータを伝送しないように構成される。
【００５８】
他の具体的な実現形態において、前記データ伝送ユニット２２は、さらに、前記少なくとも２つのスケジューリング情報に対応する第２の伝送リソースにおいてデータを伝送しないように構成される。
【００５９】
他の具体的な実現形態において、前記データ伝送ユニット２２は、さらに、第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送するように構成される。
【００６０】
ここで、前記第１の部分のリソースは、前記第２の伝送リソースのうちの前記第１の伝送リソースと時間領域において重複される全てのリソース又は部分のリソースを含むが、これらに限定されなく、前記第２の部分のリソースは、前記第２の伝送リソースのうちの前記第１の伝送リソースと時間領域において重複されない全てのリソース又は部分のリソースを含むが、これらに限定されない。
【００６１】
他の具体的な実現形態において、前記データ伝送ユニット２２は、さらに、第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しないように構成される。
【００６２】
なお、図１Ａ〜図１Ｆの実施例に対応する方法は、本実施例で提供されるネットワークデバイスによって実現されてもよい。詳細な説明は、図１Ａ〜図１Ｆに対応する実施形態の関連内容を参照してもよく、ここで説明を省略する。
【００６３】
この実施例において、スケジューリング伝送ユニット少なくとも２つのスケジューリング情報を伝送し、前記少なくとも２つのスケジューリング情報に対応する少なくとも２つの伝送リソースは、時間領域において部分的に重複され、データ伝送ユニットが前記少なくとも２つの伝送リソースのうちの少なくとも１つの伝送リソースにおいてデータを伝送することで、端末で２つ以上のデータを伝送する部分伝送リソースが時間領域で衝突するときのデータ伝送を実現している。
【００６４】
当業者であれば、説明の便宜及び簡潔にするために、上記に説明されたシステム、装置及びユニットの特定の動作プロセスは、前述の方法の実施形態における対応するプロセスを参照してもよく、ここでその説明が省略されることを理解するであろう。
【００６５】
本発明によって提供されるいくつかの実施形態において、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００６６】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【００６７】
また、本発明の各実施例における各機能部は、１つの処理部に集積されてもよいし、各部は物理的に別個に存在してもよいし、２つ以上の部が１つの部に集積されてもよい。上記の統合されたユニットは、ハードウェアの形態で実現されてもよいし、ハードウェア及びソフトウェア機能ユニットの形態で実現されてもよい。
【００６８】
最後に、上述の実施形態は、本発明の技術思想を説明するためのものであって、本発明を限定するものではなく、本発明の技術思想の範囲内で当業者が理解し得る様々な変形、修正、置換を本発明の実施形態に含まれる全ての変形、置換を本発明の範囲内で行うことができることは、上述の実施形態を参照して説明したところであり、当業者が理解しうるところである。
【図１Ａ】
2021515996.tif 000003
【図１Ｂ】
2021515996.tif 000004
【図１Ｃ】
2021515996.tif 000005
【図１Ｄ】
2021515996.tif 000006
【図１Ｅ】
2021515996.tif 000007
【図１Ｆ】
2021515996.tif 000008
【図２】
2021515996.tif 000009
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
端末がネットワークデバイスから少なくとも２つのスケジューリング情報を受信することと、
少なくとも２つの伝送リソースのうちの少なくとも１つの伝送リソースにおいてデータを伝送することとを含み、
前記少なくとも２つのスケジューリング情報に対応する前記少なくとも２つの伝送リソースは、時間領域において部分的に重複される
ことを特徴とするデータ伝送方法。
【請求項２】
前記データは、前記端末と前記ネットワークデバイスとの間で伝送される必要がある情報である
ことを特徴とする請求項１に記載のデータ伝送方法。
【請求項３】
前記データは、物理上り共有チャネルＰＵＳＣＨ及び物理上り制御チャネルＰＵＣＣＨのうち少なくとも１つに搬送される
ことを特徴とする請求項２に記載のデータ伝送方法。
【請求項４】
前記伝送リソースは、時間領域リソース、周波数領域リソース及び電力領域リソースのうちの少なくとも１つを含む
ことを特徴とする請求項１に記載のデータ伝送方法。
【請求項５】
前記少なくとも２つの伝送リソースのうちの少なくとも１つの伝送リソースにおいてデータを伝送することは、
前記少なくとも２つのスケジューリング情報に対応する第１の伝送リソースにおいて第１のデータを伝送することを含む
ことを特徴とする請求項１〜４のいずれか１項に記載のデータ伝送方法。
【請求項６】
前記少なくとも２つの伝送リソースのうちの少なくとも１つの伝送リソースにおいてデータを伝送することは、さらに、
前記少なくとも２つのスケジューリング情報に対応する第２の伝送リソースの第１の部分のリソースにおいてデータを伝送せず、前記第２の伝送リソースの第２の部分のリソースにおいて第２のデータを伝送すること、又は、
前記少なくとも２つのスケジューリング情報に対応する第２の伝送リソースにおいてデータを伝送しないこと、又は、
第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送すること、又は、
第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しないことを含む
ことを特徴とする請求項５に記載のデータ伝送方法。
【請求項７】
前記第１のデータのサービス優先度は、前記第２のデータのサービス優先度以上である
ことを特徴とする請求項６に記載のデータ伝送方法。
【請求項８】
前記第１の部分のリソースは、前記第２の伝送リソースのうちの、前記第１の伝送リソースと時間領域において重複される全てのリソース又は一部のリソースを含み、
前記第２の部分のリソースは、前記第２の伝送リソースのうちの、前記第１の伝送リソースと時間領域において重複されない全てのリソース又は一部のリソースを含む
ことを特徴とする請求項６に記載のデータ伝送方法。
【請求項９】
スケジューリング伝送ユニットと、データ伝送ユニットとを備えるデータ伝送装置であって、
前記スケジューリング伝送ユニットは、ネットワークデバイスから少なくとも２つのスケジューリング情報を受信するように構成され、前記少なくとも２つのスケジューリング情報に対応する少なくとも２つの伝送リソースは、時間領域において部分的に重複され、
前記データ伝送ユニットは、前記少なくとも２つの伝送リソースのうちの少なくとも１つの伝送リソースにおいてデータを伝送するように構成される
ことを特徴とするデータ伝送装置。
【請求項１０】
前記データは、端末と前記ネットワークデバイスとの間で伝送される必要がある情報である
ことを特徴とする請求項９に記載のデータ伝送装置。
【請求項１１】
前記データは、物理上り共有チャネルＰＵＳＣＨ及び物理上り制御チャネルＰＵＣＣＨのうち少なくとも１つに搬送される
ことを特徴とする請求項１０に記載のデータ伝送装置。
【請求項１２】
前記伝送リソースは、時間領域リソース、周波数領域リソース及び電力領域リソースのうちの少なくとも１つを含む
ことを特徴とする請求項９に記載のデータ伝送装置。
【請求項１３】
前記データ伝送ユニットは、
前記少なくとも２つのスケジューリング情報に対応する第１の伝送リソースにおいて第１のデータを伝送するように構成される
ことを特徴とする請求項９〜１２のいずれか１項に記載のデータ伝送装置。
【請求項１４】
前記データ伝送ユニットは、さらに、
前記少なくとも２つのスケジューリング情報に対応する第２の伝送リソースの第１の部分のリソースにおいてデータを伝送せず、前記第２の伝送リソースの第２の部分のリソースにおいて第２のデータを伝送し、又は、
前記少なくとも２つのスケジューリング情報に対応する第２の伝送リソースにおいてデータを伝送せず、又は、
第２のデータがＱＰＳＫ変調又はＢＰＳＫ変調を利用する場合、前記少なくとも２つのスケジューリング情報に対応する第２の伝送リソースの第１の部分のリソースにおいて第１の電力を利用して前記第２のデータを伝送し、前記第２の伝送リソースの第２の部分のリソースにおいて第２の電力を利用して前記第２のデータを伝送し、又は、
第２のデータがＱＡＭ変調を利用する場合、前記少なくとも２つのスケジューリング情報に対応する第２の伝送リソースにおいて第１の電力を利用して前記第２のデータを伝送し、又は、前記少なくとも２つのスケジューリング情報に対応する第２の伝送リソースにおいてデータを伝送しないように構成される
ことを特徴とする請求項１３に記載のデータ伝送装置。
【請求項１５】
前記第１のデータのサービス優先度は、前記第２のデータのサービス優先度以上である
ことを特徴とする請求項１４に記載のデータ伝送装置。
【国際調査報告】
2021515996.tif 000010
2021515996.tif 000011
2021515996.tif 000012
2021515996.tif 000013